(57)【要約】【課題】油圧シリンダの伸縮動作により開閉される拡底翼の開度と、油圧シリンダに供給される作動油の流量とを対応付ける校正作業を容易に行うことができる拡底バケットを提供すること。【解決手段】枠体３０に対して昇降移動するスラスタ５０と、そのスラスタ５０の昇降移動によって拡径縮径する拡底翼６０とを備え、目盛盤８２が張り付けられると共に突起部８３が突出されたゲージ８０が枠体３０に取り付けられ目盛盤８２及び突起部８３を指し示す目盛棒５８がスラスタ５０に取り付けられている。よって、拡底翼６０の拡大径の測定をスラスタ５０の枠体３０に対する相対位置の測定にて代用することできる。その結果、拡底翼６０の拡大径を直接測定することを不要として、油圧シリンダの伸縮動作により開閉される拡底翼の開度と、油圧シリンダに供給される作動油の流量とを対応付ける校正作業を容易に行うことができる。【選択図】図２
2010203159.tif 000002
【特許請求の範囲】
【請求項１】
本体と、その本体に連結される拡底翼と、前記本体に立設される柱状のロッドと、そのロッドに沿って昇降移動されるスラスタと、そのスラスタに一端が連結されると共に他端が前記拡底翼に連結されるリンクと、前記スラスタに駆動力を付与する油圧シリンダと、を備え、前記油圧シリンダが伸縮動作されることで、前記スラスタが昇降移動され、前記リンクを介して、前記拡底翼が開閉される拡底バケットにおいて、
前記本体またはスラスタの一方に配設されるゲージ部材と、
前記本体またはスラスタの他方に配設され前記スラスタの昇降移動に伴い前記ゲージ部材に沿って相対移動されるバー部材と、を備え、
前記ゲージ部材は、前記拡底翼の開度を示す目盛り手段を備えていることを特徴とする拡底バケット。
【請求項２】
前記ゲージ部材は、前記バー部材へ向けて突設されると共に前記相対移動の方向に沿って列設される複数の突起部を備え、それら複数の突起部により前記目盛り手段が構成されていることを特徴とする請求項１記載の拡底バケット。
【請求項３】
前記ゲージ部材は、板状の基体部と、その基体部に重ねられる板状の表板部とを備えると共に、前記表板部には、前記相対移動の方向に沿って位置し前記拡底翼の開度を示す複数の文字情報が表示され、
それら複数の文字情報により前記目盛り手段が構成されると共に、前記文字情報の表示が前記表板部を切り抜くことにより行われていることを特徴とする請求項１又は２に記載の拡底バケット。
【発明の詳細な説明】
【技術分野】
【０００１】
本発明は、拡底バケットに関し、特に、油圧シリンダの伸縮動作により開閉される拡底翼の開度と、油圧シリンダに供給される作動油の流量とを対応付ける校正作業を容易に行うことができる拡底バケットに関するものである。
【背景技術】
【０００２】
先端拡大形状の杭を施工する場合に使用される拡底バケットが、例えば、特公昭６３−６５７９７号公報に開示されている。この拡底バケットによれば、角柱（ロッド）１２に外嵌されたスライダ（スラスタ）１５を油圧シリンダ１３の伸縮動作によって昇降移動させ、そのスライダ１５の昇降移動を、リンク１６を介して、拡大翼（拡底翼）３２に伝えることで、拡大翼３２が拡縮（開閉）するように構成されている。
【０００３】
このように構成された拡底バケットによる拡底作業は、拡底翼を縮径した状態で拡底バケットを地表から縦孔の先端に降ろし、その拡底バケットを回転させつつ、油圧シリンダの伸長駆動により拡底翼を徐々に拡径させることで、縦孔の側面を拡底翼で掘削し、縦穴の先端（底部）をテーパー形状に拡大（拡底）する。
【０００４】
ここで、縦穴の拡底径は、実際に計測することが困難であるので、拡底翼の開度（拡大径）から推定される。即ち、拡底バケットの油圧シリンダへ作動油を供給する経路中に流量計を設置し、その流量計により計測される流量から拡底翼の開度を演算により算出し、その算出された拡底翼の開度（拡大径）を、縦穴の拡底径と推定する。
【０００５】
この場合、例えば、拡底翼の掘削爪の摩耗度や作動油の漏出などのばらつきに起因して、流量から演算した拡底翼の開度（拡大径）が不正確で、縦穴の実際の拡大径が目標拡大径よりも小さかった場合には、杭の設計強度を確保することができなくなる一方、縦穴の実際の拡大径が目標拡大径よりも大きかった場合には、掘削作業工数や充填するコンクリート量が余分に必要となり経済的損失が生じる。
【０００６】
そこで、通常、拡底作業を行う際には、流量計により計測される流量と拡底翼の実際の開度とを対応付けるための校正作業を行い、拡底翼の開度（拡大径）の算出精度を確保する。具体的には、拡底翼を最小拡大径に縮径させ、流量計の流量をリセットした後、油圧シリンダへ作動油を供給して、拡底翼を徐々に拡大させる。
【０００７】
そして、作業者がメジャーなどの測定器を拡底翼に当ててその開度を監視しつつ、目標拡大径に達した時点で油圧シリンダへの作動油の供給を停止し、その停止時点までに計測された流量を取得することで、拡底翼の開度（目標拡大径）とその目標拡大径まで拡径させるのに必要な流量とを対応付ける。
【先行技術文献】
【特許文献】
【０００８】
【特許文献１】特公昭６３−６５７９７号公報（第５カラム第２９行目から第３６行目）
【発明の概要】
【発明が解決しようとする課題】
【０００９】
しかしながら、この校正作業では、油圧シリンダへの作動油の供給を停止するタイミングが遅れ、拡底翼が目標拡大径を越えて拡径されると、その越えた分だけを縮径させるのではなく（作動油が流量計を往復し、その計測精度が悪化するため）、最小拡大径まで縮径させた上で、上述した校正作業を再度最初からやり直す必要がある。そのため、作業者は、拡底翼が目標拡大径を越えて拡径されないように、測定器を拡底翼に当てつつその測定値を長時間にわたり注視していなければならず、校正作業の作業負担が大きいという問題点があった。
【００１０】
本発明は、上述した問題点を解決するためになされたものであり、油圧シリンダの伸縮動作により開閉される拡底翼の開度と、油圧シリンダに供給される作動油の流量とを対応付ける校正作業を容易に行うことができる拡底バケットを提供することを目的としている。
【課題を解決するための手段】
【００１１】
この目的を達成するために請求項１記載の拡底バケットは、本体と、その本体に連結される拡底翼と、前記本体に立設される柱状のロッドと、そのロッドに沿って昇降移動されるスラスタと、そのスラスタに一端が連結されると共に他端が前記拡底翼に連結されるリンクと、前記スラスタに駆動力を付与する油圧シリンダと、を備え、前記油圧シリンダが伸縮動作されることで、前記スラスタが昇降移動され、前記リンクを介して、前記拡底翼が開閉されるものであり、前記本体またはスラスタの一方に配設されるゲージ部材と、前記本体またはスラスタの他方に配設され前記スラスタの昇降移動に伴い前記ゲージ部材に沿って相対移動されるバー部材と、を備え、前記ゲージ部材は、前記拡底翼の開度を示す目盛り手段を備えている。
【００１２】
請求項２記載の拡底バケットは、請求項１記載の拡底バケットにおいて、前記ゲージ部材は、前記バー部材へ向けて突設されると共に前記相対移動の方向に沿って列設される複数の突起部を備え、それら複数の突起部により前記目盛り手段が構成されている。
【００１３】
請求項３記載の拡底バケットは、請求項１又は２に記載の拡底バケットにおいて、前記ゲージ部材は、板状の基体部と、その基体部に重ねられる板状の表板部とを備えると共に、前記表板部には、前記相対移動の方向に沿って位置し前記拡底翼の開度を示す複数の文字情報が表示され、それら複数の文字情報により前記目盛り手段が構成されると共に、前記文字情報の表示が前記表板部を切り抜くことにより行われている。
【発明の効果】
【００１４】
請求項１記載の拡底バケットによれば、作動油の供給により油圧シリンダが伸長動作（又は短縮動作）されると、その油圧シリンダの伸長動作（又は短縮動作）により、スラスタが本体に対して下降移動されると共に、そのスラスタの下降移動が、リンクを介して、拡底翼に伝達され、拡底翼が拡径される。一方、作動油の供給により油圧シリンダが短縮動作（又は伸長動作）されると、その油圧シリンダの短縮動作（又は伸長動作）により、スラスタが本体に対して上昇移動されると共に、そのスラスタの上昇移動が、リンクを介して、拡底翼に伝達され、拡底翼が縮径される。
【００１５】
この場合、本発明によれば、本体またはスラスタの一方に配設されるゲージ部材と、本体またはスラスタの他方に配設されるバー部材とを備え、バー部材が、スラスタの昇降移動に伴い、ゲージ部材に沿って相対移動されると共に、ゲージ部材が、拡底翼の開度を示す目盛り手段を備える構成であるので、バー部材が指し示す目盛り手段の内容を確認することで、拡底翼の開度を作業者が認識することができるという効果がある。
【００１６】
即ち、拡底翼の拡大径（開度）と油圧シリンダに供給される作動油の流量とを対応付ける校正作業を行う場合には、作業者は、バー部材の指し示す目盛り手段の内容を確認することで、拡底翼の拡大径を認識することができるので、従来の拡底バケットのように、拡底翼が目標拡大径を越えて拡径されないように、測定器を拡底翼に当てつつその測定値を長時間にわたり注視する必要がなく、目標拡大径に近づいたタイミングで、測定器を当てて拡大径を測定することができるので、その分、校正作業を容易に行うことができるという効果がある。
【００１７】
請求項２記載の拡底バケットによれば、請求項１記載の拡底バケットの奏する効果に加え、ゲージ部材は、バー部材へ向けて突設されると共にバー部材との間の相対移動の方向に沿って列設される複数の突起部を備え、目盛り手段は、複数の突起部により構成されているので、その視認性を確保することができるという効果がある。即ち、ゲージ部材は、掘削時の泥や水が付着することがあるため、錆びやすいところ、目盛り手段を複数の突起部により構成することで、ゲージ部材が錆びた場合であっても、そのゲージ部材の外形（各突起部）は視認することができるので、バー部材が指し示す位置を確実に視認することができる。
【００１８】
請求項３記載の拡底バケットによれば、請求項１又は２に記載の拡底バケットの奏する効果に加え、ゲージ部材は、板状の基体部と、その基体部に重ねられる板状の表板部とを備えると共に、表板部には、相対移動の方向に沿って位置し拡底翼の開度を示す複数の文字情報が表示され、それら複数の文字情報により目盛り手段が構成されると共に、その情報の表示が表板部を切り抜くことにより行われているので、その視認性を確保することができるという効果がある。
【００１９】
即ち、ゲージ部材は、掘削時の泥や水が付着することがあるため、錆びやすいところ、目盛り手段としての文字情報を基体部と表板部との段差（凹凸）により構成することができるので、ゲージ部材が錆びた場合であっても、文字情報の外形を保持して、その視認性を確保することができる。
【００２０】
また、文字情報の表示は、２枚の板状の部材の一方の板状の部材（表板部）を切り抜き、それを他方の板状の部材（基体部）と重ねることにより行われるので、１枚の板にフライス加工などにより凹凸を削り出す場合と比較して、加工コストの削減を図ることができるという効果がある。
【図面の簡単な説明】
【００２１】
【図１】本発明の第１実施の形態におけるアースドリル機の側面を示した側面図である。
【図２】（ａ）は、縮径した状態における拡底バケットの側面図であり、（ｂ）は、拡径した状態における拡底バケットの側面図である。（ｃ）は、図２（ｂ）のＩＩｃ−ＩＩｃ線における拡底バケットの断面図である。
【図３】（ａ）は、図２（ａ）のＩＩＩａで示した部分を拡大した拡底翼および枠体の拡大側面図であり、（ｂ）は、図２（ｂ）のＩＩＩｂで示した部分を拡大した拡底翼および枠体の拡大側面図であり、（ｃ）は、図２（ｃ）のＩＩＩｃで示した部分を拡大した拡底翼および枠体の拡大断面図である。
【図４】（ａ）は、ゲージの正面図であり、（ｂ）は、ゲージの側面図であり、（ｃ）は、目盛棒の正面図であり、（ｄ）は、目盛棒の側面図である。
【図５】（ａ）は、第２実施の形態におけるゲージの正面図であり、（ｂ）は、第３実施の形態におけるゲージの正面図であり、（ｃ）は、目盛棒の正面図であり、（ｄ）は、目盛棒の側面図であり、（ｅ）は、目盛棒の正面図であり、（ｆ）は、目盛棒の側面図である。
【発明を実施するための形態】
【００２２】
以下、本発明の好ましい実施形態について、添付図面を参照して説明する。まず、図１を参照して、拡底バケット１９を備えるアースドリル機１について説明する。図１は、本発明の第１実施の形態におけるアースドリル機１の側面を示した側面図であり、理解を容易とするために、拡底バケット１９が拡径した状態を示している。
【００２３】
図１に示すように、第１実施の形態のアースドリル機１は、拡底杭を成形するための拡底孔を掘削する作業を行なうものであり、具体的には、掘削された縦孔の底部にその縦孔より大きな径を有する空間を掘削するものである。この掘削作業は、アースドリル工法の一工程であり、底部のみを大きな径で掘削することで、縦孔全体を大きな径で掘削する場合に比べて、掘削土量および縦孔に注入するコンクリート量を少なくして、工期短縮、工費削減を可能とする。
【００２４】
図１に示すように、アースドリル機１は、主に、走行可能な下部本体１１と、その下部本体１１に対して旋回可能な上部旋回体１２と、その上部旋回体１２に対して起立した状態で取り付けられるブーム１３と、そのブーム１３に設けられたフロントフレーム部１４と、ブーム１３の上部（図１上方の端部）に吊設される棒状のケリーバ１５と、そのケリーバ１５を回転駆動させると共にフロントフレーム部１４に連結されるケリーバ駆動装置１６と、そのケリーバ駆動装置１６の下方に連結され後述する一対の油圧アクチュエータ２１（図２参照）に油を供給する油圧ホース（図示せず）の巻き取り又は巻き出しを行なうホースリール１７と、そのホースリール１７が搭載されたホースリール台１８と、ケリーバ１５の下方先端（図１下方先端）に連結され、ケリーバ１５の回転に伴って回転動作を行なう拡底バケット１９と、その拡底バケット１９側とケリーバ駆動装置１６側とにおいて油を供給するロータリージョイント２０とを有して構成されている。
【００２５】
なお、ロータリージョイント２０は、拡底バケット１９に設けられた油圧アクチュエータ２１（図２（ａ）参照）に油を供給するために設けられており、制御装置にてポンプの駆動が制御されロータリージョイント２０へ供給される油の量が調整される。また、油圧アクチュエータ２１へ流れ込む油の量は、流量計測装置にて計測されており、油圧アクチュエータ２１へ流れ込んだ油の量によって、拡底バケット１９の拡大径Ｓ（一対の拡底翼６０（図２（ｃ）参照）の先端から先端までの距離）が推定される。
【００２６】
ロータリージョイント２０は、ホースリール台１８に固定された非回転の外筒と、その外筒の内部に回転自在に嵌合される内筒とで構成されており、外筒と内筒との間に溝状の流路が形成されている。なお、内筒の回転は、ケリーバ１５がケリーバ駆動装置１６により回転されることに伴って回転する。
【００２７】
次に、図２及び図３を参照して、拡底バケット１９の構成について説明する。図２（ａ）は、縮径した状態における拡底バケット１９の側面図であり、図２（ｂ）は、拡径した状態における拡底バケット１９の側面図である。図２（ｃ）は、図２（ｂ）のＩＩｃ−ＩＩｃ線における拡底バケット１９の断面図である。また、図３（ａ）は、図２（ａ）のＩＩＩａで示した部分を拡大した拡底翼６０および枠体３０の拡大側面図であり、図３（ｂ）は、図２（ｂ）のＩＩＩｂで示した部分を拡大した拡底翼６０および枠体３０の拡大側面図であり、図３（ｃ）は、図２（ｃ）のＩＩＩｃで示した部分を拡大した拡底翼６０および枠体３０の拡大断面図である。
【００２８】
また、図２（ａ）及び図２（ｂ）では、図面の簡素化のため、リンク７０の一部を２点鎖線の直線にて示している。また、図２（ｃ）の破線は、図２（ａ）に示す縮径した状態の拡底バケット１９を示している。なお、図２（ａ）及び図２（ｂ）の側面図は、図２（ｃ）に示す矢印ＩＩｂ方向からの側面図である。
【００２９】
図２（ａ）及び図２（ｂ）に示すように、拡底バケット１９は、掘削された縦孔の底部に降ろされて、ケリーバ１５（図１参照）の回転に伴って回転動作を行ないながら、油圧アクチュエータ２１の伸張により拡底翼６０を拡径させつつ土砂を掘削し、油圧アクチュエータ２１の短縮により拡底翼６０を縮径させて掘削した土砂を枠体３０の内部に収容した状態で引き上げられることで、縦孔の底部を拡径するものである。
【００３０】
また、枠体３０に収容される土砂の体積より、大きな体積の空間を掘削する必要が有る場合には、複数回の上昇下降動作が行われ、拡底孔の径が徐々に拡大される。なお、掘削中は、縦孔の側面の崩れなどを防止する目的で、掘削孔（縦孔および拡底孔）内にベントナイトの安定液が充填される。
【００３１】
図２（ａ）から図２（ｃ）に示すように、拡底バケット１９は、主に、側面視（図２（ａ）紙面垂直方向視）長方形の外形を有する枠体として構成された枠体３０と、その枠体３０の両側（図２（ｃ）左右側）に配設されると共に枠体３０に揺動可能に取り付けられ拡底孔を掘削する一対の拡底翼６０と、それら一対の拡底翼６０の間で枠体３０の上部（図２（ａ）上部）に嵌合されると共にピンＰによって枠体３０へ係止される筒状に構成されたロッド４０と、そのロッド４０に外嵌されロッド４０の長手方向（図２上下方向）に往復移動可能とされるスラスタ５０と、そのスラスタ５０と枠体３０の連結部３０ｂとに連結し、ロータリージョイント２０から油圧配管２２を介して供給されたオイルの液圧によりロッド４０の長手方向に伸縮されることでスラスタ５０を往復移動させる油圧アクチュエータ２１と、その油圧アクチュエータ２１によって往復移動されるスラスタ５０と拡底翼６０とを連結してスラスタ５０の往復移動に連動して拡底翼６０を開閉動作させるリンク７０とを備えている。
【００３２】
ここで、拡底バケット１９によれば、油の供給により油圧アクチュエータ２１が伸びると、その油圧シリンダの伸び動作により、スラスタ５０が枠体３０に対して下降移動され、スラスタ５０の下降移動が、リンク７０を介して拡底翼６０に伝達されることで、拡底翼６０が拡径される。
【００３３】
一方、油が油圧アクチュエータ２１から回収されその油圧アクチュエータ２１が縮むと、その油圧アクチュエータ２１の縮み動作により、スラスタ５０が枠体３０に対して上昇移動され、スラスタ５０の上昇移動が、リンク７０を介して拡底翼６０に伝達されることで、拡底翼６０が縮径される。
【００３４】
図２に示すように、枠体３０は、側面視（図２（ａ）紙面垂直方向視）四角の枠形状に構成され、縦壁を形成する一対の外周壁３０ａと、それら一対の外周壁３０ａの上側端部（図２（ａ）及び図２（ｂ）下側端部）を連結する連結部３０ｂと、それら一対の外周壁３０ａの下側端部（図２（ａ）及び図２（ｂ）下側転部）を連結する皿部３０ｃと、外周壁３０ａの内側面に取り付けられ目盛りが刻まれたゲージ８０とを備えている。なお、ゲージ８０の構成については、図４を参照して後述する。
【００３５】
上述したように、枠体３０は、側面視（図２（ａ）紙面垂直方向視）四角の枠形状に構成されているので、ロッド４０とスラスタ５０とを枠体３０の側面から視認（図２（ｂ）紙面垂直方向から視認）することができる。また、後述するように、拡底翼６０は、先細りの形状に構成されているので、拡底翼６０が縮径状態（図２（ａ）参照）であってもロッド４０及びスラスタ５０の一部を視認することができる。
【００３６】
スラスタ５０は、一般構造用圧延鋼材（ＳＳ４００）にて構成されており、図２（ａ）及び図２（ｂ）に示すように、筒状体として構成される挿通パイプ５４と、その挿通パイプ５４の外周面に溶接される締結プレート５５と、挿通パイプ５４の断面形状と同一形状の貫通孔を有しその貫通孔に挿通パイプ５４が摺動可能に内嵌されると共に上面（図２（（ａ）及び図２（ｂ）上面）に締結プレート５５が溶接された平板として構成されるベースプレート５６と、そのベースプレート５６の下面（図２（ａ）及び図２（ｂ）下面）に溶接されリンク７０を介して拡底翼６０に連結されるスラスタ軸受け５７と、ベースプレート５６の上面に溶接された棒状体として構成される目盛棒５８とを備えている。
【００３７】
その目盛棒５８は、図２（ａ）及び図２（ｂ）に示すように、拡底翼６０の拡縮動作に連動したスラスタ５０の上下動（図２（ａ）及び図２（ｂ）上下方向動作）によって、ゲージ８０に対して上下方向（図２（ａ）及び図２（ｂ）上下方向）に移動（請求項１記載の「相対移動」に対応する。）される。
【００３８】
また、拡底翼６０が拡径状態の場合には、図２（ｂ）及び図３（ｂ）に示すように、同様に側面視（図２（ｂ）及び図３（ｂ）紙面垂直方向視）において、ゲージ８０に目盛棒５８の軸芯の延長線Ｌが交差している。よって、ゲージ８０に刻まれた目盛りを参照することで、拡底翼６０の拡大径Ｓの寸法値を知ることができる。
【００３９】
また、図２（ａ）及び図２（ｂ）に示すように、締結プレート５５は、平板状に構成され挿通パイプ５４の両側にそれぞれ１個ずつ配設されている。その締結プレート５５の外縁がベースプレート５６の上面（図２（ａ）及び図２（ｂ）上面）と挿通パイプ５４の外側面とに溶接されている。そのため、スラスタ５０の剛性を高く保つことができる。その結果、拡底翼６０を拡径させ、リンク７０を介して掘削の反力が伝達される場合であっても、ベースプレート５６の変形を防止することができる。即ち、ベースプレート５６の変形によって、目盛棒５８のゲージ８０に対する変位量が変化することを防止することができる。
【００４０】
また、上述したように、スラスタ５０のベースプレート５６及びスラスタ５０の目盛棒５８は、一般構造用圧延鋼材（ＳＳ４００）にて構成されているので、ベースプレート５６と目盛棒５８とを容易に溶接することができる。
【００４１】
拡底翼６０は、図２（ａ）に示すように、側面視略直角三角形状に構成されており、その直角部分が皿部３０ｃ側（図２（ａ）および図２（ｂ）下側）に配設され、三つの角の内、最も鋭角な部分が連結部３０ｂ側（図２（ａ）および図２（ｂ）上側）に配設されている。したがって、拡底翼６０は、皿部３０ｃから連結部３０ｂへ向かう方向に先細り形状とされている。
【００４２】
即ち、枠体３０の側面視（図２（ａ）紙面垂直方向視）において、拡底翼６０が先細りとされているので、拡底翼６０が縮径状態であっても、スラスタ５０に取り付られた目盛棒５８及びその目盛棒５８に隣接して設けられたゲージ８０を視認することができる。また、拡底翼６０の皿部３０ｃ側（図２（ａ）および図２（ｂ）下側）の幅（図２（ａ）左右方向寸法値）が連結部３０ｂ側（図２（ａ）および図２（ｂ）上側）の幅（図２（ａ）左右方向寸法値）よりも広くなるので、拡底翼６０の幅を広く確保して、土砂を効率よく回収することができる。その結果、目盛棒５８及びゲージ８０を視認可能とすると共に土砂を効率よく回収することができる。
【００４３】
また、上述した工法では、縦孔全体を大きな径で掘削する場合に比べて、掘削土量および縦孔に注入するコンクリート量を少なくして、工期短縮、工費削減を可能とすることができるが、底部のみを縦孔よりも大きな径で掘削しているので、掘削された拡底孔を地上から見ることができないことに加え、縦孔の先端は、地表から深いので実測にて確認作業を行うことは手間が掛かり経済的ではない。
【００４４】
そのため、ポンプから送出された油の流量に基づいて拡底バケット１９の拡大径Ｓを推測することで掘削された拡底孔の径としている。したがって、拡底バケット１９の拡大径Ｓの推測精度を高めるために、ポンプから送出された油の量と拡底バケット１９の拡大径Ｓとの関係を校正することが必要とされる。
【００４５】
ここで、ポンプから送出された油の量と拡底バケット１９の拡大径Ｓとの関係を校正する方法を説明する。まず、２人の作業者の内の１人が操作者として拡底バケット１９の拡底翼６０（図２参照）を操作して拡底翼６０を縮径する。ここで、ポンプから油圧アクチュエータ２１へ送出される油の流量を測定する流量計測装置を初期化（流量を０に設定）する。残りの１人が巻き尺を一対の拡底翼６０の先端から先端に当てて拡底バケット１９の拡大径Ｓを実際に測定する。そして、拡底バケット１９の拡大径Ｓが所望の寸法値となったところで、ポンプを停止させる。そして、流量計測装置によって測定された流量値を制御装置へ記憶させる。この流量値をもって、掘削状態における拡底バケット１９の拡大径Ｓを推定する。
【００４６】
ここで、例えば、校正中に拡底バケット１９の拡大径Ｓが所望の寸法値以上に大きくなった場合には、拡底バケット１９の拡大径Ｓを縮小する必要がある。この場合、流量計測装置は、逆流した油の流量まで測定するので、測定される油の流量に誤差が生じる。よって、校正は、油を逆流させない条件にて行うのが好ましい。そのため、拡底バケット１９の拡大径Ｓが所望の寸法値に近づいたところから徐々に油を油圧アクチュエータ２１に送って所望の寸法値で油の送出を止める。そのため、巻き尺を当てていない状態でおおよその拡大径Ｓを知ることで、常時巻き尺を一対の拡底翼６０の先端から先端に当てることを不要として、校正作業の効率を向上させることができる。
【００４７】
それに対して、本実施の形態によれば、拡底バケット１９が目盛棒５８及びゲージ８０を備えているので、目盛棒５８がゲージ８０を指し示す位置を確認することで、拡底バケット１９の拡大径Ｓを確認することができる。よって、目盛棒５８がゲージ８０を指し示す位置を確認することで、拡底バケット１９の拡大径Ｓが所望の寸法値に近づいていることを知ることができるので、巻き尺を当てていなくても拡底バケット１９の拡大径Ｓが所望の寸法値を超えてしまうことを防止することで、校正のやり直しを減らして校正作業の効率を向上させることができる。
【００４８】
次いで、図４を参照して、ゲージ８０及び目盛棒５８の構成について説明する。図４（ａ）は、ゲージ８０の正面図であり、図４（ｂ）は、ゲージ８０の側面図であり、図４（ｃ）は、目盛棒５８の正面図であり、図４（ｄ）は、目盛棒５８の側面図である。
【００４９】
まず、ゲージ８０の構成について説明する。ゲージ８０は、一対の拡底翼６０の拡大径Ｓ（図２（ｃ）参照）を示すスケールとして構成されており、図４（ａ）及び図４（ｂ）に示すように、２枚の板状体を直交させた形状に一体形成されることで断面Ｌ字形状に構成された長尺状のスケール本体８１と、そのスケール本体８１を構成する２枚の板状体の内の一方の板状体に張り付けられた目盛板８２とを備えている。
【００５０】
スケール本体８１は、図４（ｂ）に示すように、２枚の板状体の内の目盛板８２が張り付けられた板状体の外縁から、その板状体を含む仮想平面に沿って突出される複数の突起部８３を備え、それら突起部８３は、図４（ａ）に示すように、側面視（図４紙面垂直方向視）四角形状に構成されると共にスケール本体８１の長手方向に並んで配設されている。また、スケール本体８１の長手方向（図４（ａ）左右方向）は、スラスタ５０の移動方向（図２（ａ）及び図２（ｂ）上下方向）と平行とされている。
【００５１】
また、後述する目盛棒５８は、２枚の板状体の内の目盛板８２が張り付けられた板状体を含む仮想平面に対して平行に配設されている。よって、上述したように、側面視（図３（ａ）及び図３（ｂ）紙面垂直方向視）において、目盛棒５８の軸芯の延長線Ｌがゲージ８０に交差される。
【００５２】
また、突起部８３の配設間隔は、後述する目盛板８２の表示数値が大きい側ほど間隔が広く設定されている。よって、拡底翼６０の拡大径Ｓ（図２（ｃ）参照）を一定間隔で確認することができる。
【００５３】
また、突起部８３の幅（図４（ａ）左右方向寸法値）は、寸法値Ｗ１とされており、後述する目盛棒５８の先端部分である先端部５８ｂの端部の幅（図４（ｃ）上下方向寸法値および図４（ｄ）上下方向寸法値）である寸法値Ｗ２と同等の寸法値とされている（Ｗ１＝Ｗ２）。
【００５４】
即ち、スラスタ５０（図２参照）が皿部３０ｃ側へ移動するとリンク７０（図２参照）を介して拡底翼６０（図２参照）が拡径され、その拡底翼６０の拡径方向とスラスタ５０の移動方向とが異なるので、拡底翼６０を開く場合に拡大径Ｓの寸法値を一定の寸法値で増加させると、スラスタ５０が皿部３０ｃ側に移動するほど、スラスタ５０の移動する割合が拡底翼６０の拡径する割合に比べて大きくなる。そのため、目盛板８２の表示数値を連結部３０ｂ側（図２（ａ）および図２（ｂ）上側）より皿部３０ｃ側（図２（ａ）および図２（ｂ）下側）ほど間隔が広くなるように配設することで、寸法値が一定量増加する毎に拡底翼６０の拡大径Ｓ（図２（ｃ）参照）を確認することができる。
【００５５】
よって、拡底翼６０の拡大径Ｓ（図２（ｃ）参照）が目標とする寸法値に近づいていることを作業者へ認識させやすくすることができる。その結果、作業者が油圧アクチュエータ２１にオイルを供給するポンプを停止させるタイミングを計ることを容易として、拡底翼６０の拡大径Ｓが目標とする寸法値で停止させることができる。
【００５６】
目盛板８２は、スケール本体８１に数字を表示するためのものであり、図４（ａ）に示すように、拡底翼６０の拡大径Ｓ（図２（ｃ）参照）の寸法値を示す数字（請求項３記載の「文字情報」に対応する。）がレーザー光線にて切断されることで貫通形成されている。目盛板８２の板厚（図４（ｂ）左右方向寸法値）は、スケール本体８１の板厚（図４（ｂ）左右方向寸法値）の１／１０以上１／３以下の寸法値とされているので、スケール本体８１に数字をレーザー光線にて切断加工する場合に比べて、切断に掛る時間を少なくすることができる。よって、ゲージ８０の製造コストを削減することができる。
【００５７】
また、目盛板８２に記される数字は貫通形成されているので、スケール本体８１に目盛板８２が張り付けられた場合に、貫通形成された数字が重ねられる部位に色つき塗装を施すことで、目盛板８２をスケール本体８１に張り付けると色つきの数字とすることができる。
【００５８】
例えば、スケール本体８１に直に数字を塗料で表示（形成）した場合には、掘削中に塗装面に土砂が接触しやすく塗装剥れを起こしやすいので、掘削回数を重ねるにつれ、数字が見え難くなり数字の認識が困難となる場合がある。
【００５９】
この場合、本実施の形態では、目盛板８２に記される数字が貫通形成されたものであり、その数字が重ねられるスケール本体８１の部位に色つき塗装が施されているので、目盛板８２によって塗装に対する土砂の接触を低減して、塗装の剥がれを起こし難くすることができる。
【００６０】
また、塗装が剥がれた場合であっても、数字が貫通形成されているので、数字を際立たせて、数字を認識することができる。また、目盛板８２が錆びた場合であっても、同様に、数字を認識することができる。即ち、数字の表示が消え難いので、数字を認識可能な状態に保つためのメンテナンス回数を少なくして、拡底バケット１９のメンテナンスコストの削減を図ることができる。
【００６１】
次いで、目盛棒５８の構成について説明する。目盛棒５８は、図４（ｃ）及び図４（ｄ）に示すように、円柱状体として構成される基部５８ａと、その基部５８ａの端部に連成される円錐の先端を切り取った形状に構成された先端部５８ｂとを備えており、基部５８ａ及び先端部５８ｂは、同一の軸心を有している。
【００６２】
そのため、基部５８ａ及び先端部５８ｂの軸心に対して直交する方向へ作業者の眼の位置が変わった場合であっても、作業者が視認する基部５８ａ及び先端部５８ｂの太さを一定に保つことができる。よって、ゲージ８０に対する基部５８ａ及び先端部５８ｂにて構成される目盛棒５８の太さを一定に保つことができるので、目盛板８２に記された数字の内、目盛棒５８が差し示している数字の確認を容易とすることができる。
【００６３】
先端部５８ｂは、先端の直径（図４（ｃ）上下方向寸法値および図４（ｄ）上下方向寸法値）が寸法値Ｗ２とされている。上述したように、先端部５８ｂの先端の直径は、突起部８３の幅と同等とされているので、先端部５８ｂが突起部８３に重なった状態を確認しやすくすることができる。
【００６４】
次いで、図５（ａ）を参照して、第２実施の形態について説明する。第１実施の形態におけるゲージ８０によれば、同一形状の複数の突起部８３を備えて構成される場合を説明したが、第２実施の形態におけるゲージ２８０によれば、突起部２８３が形状の異なる複数の突起部と凹部との組み合わせにて構成されている。なお、上記した第１実施の形態と同一の部分には同一の符号を付して、その説明は省略する。
【００６５】
図５（ａ）は、第２実施の形態におけるゲージ２８０の正面図であり、図４（ａ）に対応する。ゲージ２８０は、図５（ａ）に示すように、突起部２８３を有するスケール本体２８１を備え、突起部２８３は、半円凸部２８３ａと、三角凸部２８３ｂと、台形凸部２８３ｃと、三角凹部２８３ｄと、台形凹部２８３ｅと、四角凹部２８３ｆとを備えている。
【００６６】
図５（ａ）に示すように、半円凸部２８３ａは、側面視（図５（ａ）紙面垂直方向視）半円形状に形成される凸部として構成され、三角凸部２８３ｂは、側面視三角形状に形成される凸部として構成され、台形凸部２８３ｃは、側面視台形形状に形成される凸部として構成されており、三角凹部２８３ｄは、側面視三角形状に形成される凹部として構成され、台形凹部２８３ｅは、側面視台形形状に形成される凹部として構成され、四角凹部２８３ｆは、側面視四角形状に形成される凹部として構成されている。
【００６７】
例えば、突起部が同じ形状で構成された場合には、目盛棒５８が突起部と重なったことは判断できるが、目盛棒５８が指し示すゲージの位置を確認することができない。そのため、ゲージ全体に対しての目盛棒５８の位置を把握する必要がある。そこで、例えば、目盛板８２の数字を判断の情報の一つとしている。この場合、数字を読む必要があり、その分、作業者の判断が遅れる場合がある。
【００６８】
これに対して、第２実施の形態では、突起部２８３が形状の異なる複数の突起部と凹部との組み合わせにて構成されているので、ゲージ２８０と目盛棒５８との位置を確認する場合に、目盛棒５８が指し示す突起部２８３（半円凸部２８３ａ、三角凸部２８３ｂ、台形凸部２８３ｃ、三角凹部２８３ｄ、台形凹部２８３ｅ及び四角凹部２８３ｆ）の形状を視覚的に判断することができる。よって、作業者の判断の遅れを低減することができる。
【００６９】
次いで、図５（ｂ）を参照して、第３実施の形態について説明する。第１実施の形態におけるゲージ８０によれば、スケール本体８１が突起部８３を備え、目盛板８２が側面視（図４紙面垂直方向視）四角形状に構成される場合を説明したが、第３実施の形態におけるゲージ３８０によれば、スケール本体８１が側面視四角形状に構成され、目盛板３８２が突起部３８３を備え、その突起部３８３が形状の異なる複数の突起部と凹部との組み合わせにて構成されている。なお、上記した第１実施の形態と同一の部分には同一の符号を付して、その説明は省略する。
【００７０】
図５（ｂ）は、第３実施の形態におけるゲージ３８０の正面図であり、図４（ａ）に対応する。ゲージ３８０は、図５（ｂ）に示すように、突起部３８３を有する目盛板３８２を備え、突起部３８３は、半円凸部３８３ａと、三角凸部３８３ｂと、台形凸部３８３ｃと、三角凹部３８３ｄと、台形凹部３８３ｅと、四角凹部３８３ｆとを備えている。
【００７１】
図５（ｂ）に示すように、半円凸部３８３ａは、側面視（図５（ｂ）紙面垂直方向視）半円形状に形成される凸部として構成され、三角凸部３８３ｂは、側面視三角形状に形成される凸部として構成され、台形凸部３８３ｃは、側面視台形形状に形成される凸部として構成されており、三角凹部３８３ｄは、側面視三角形状に形成される凹部として構成され、台形凹部３８３ｅは、側面視台形形状に形成される凹部として構成され、四角凹部３８３ｆは、側面視四角形状に形成される凹部として構成されている。
【００７２】
即ち、第３実施の形態では、突起部３８３が形状の異なる複数の突起部と凹部との組み合わせにて構成されているので、第２実施の形態と同様に、ゲージ３８０と目盛棒５８との位置を確認する場合には、目盛棒５８が指し示す突起部３８３（半円凸部３８３ａ、三角凸部３８３ｂ、台形凸部３８３ｃ、三角凹部３８３ｄ、台形凹部３８３ｅ及び四角凹部３８３ｆ）の形状を視覚的に判断することができる。よって、作業者の判断の遅れを低減することができる。
【００７３】
また、スケール本体３８１より板厚が薄い目盛盤３８２に突起部３８３を形成したので、スケール本体３８１へ突起部を加工する場合と比較して、突起部３８３の加工を容易として、ゲージ３８０の加工時間を短縮して、製造コストの削減を図ることができる。
【００７４】
また、突起部３８３がスケール本体３８１に重なった状態に配設されているので、スケール本体３８１によって突起部３８３が補強される。よって、突起部３８３に土砂などが当たった場合であっても突起部３８３を変形し難くすることができる。
【００７５】
以上、実施の形態に基づき本発明を説明したが、本発明は上記各実施の形態に何ら限定されるものではなく、本発明の趣旨を逸脱しない範囲内で種々の改良変形が可能であることは容易に推察できるものである。
【００７６】
例えば、上記各実施の形態で挙げた数値（例えば、各構成の数量や寸法・角度など）は一例を示すものであり、他の数値を採用することは当然可能である。
【００７７】
上記実施の形態では、ゲージ８０が枠体３０の外周壁３０ａに取り付けられ、目盛棒５８がスラスタ５０のベースプレート５６に取り付けられる場合を説明したが、必ずしもこれに限られるものではなく、ゲージ８０をスラスタ５０のベースプレート５６に取り付け、目盛棒５８を枠体３０の外周壁３０ａに取り付ける構成としても良い。
【００７８】
また、上記実施の形態では、目盛棒５８のゲージ８０に対する位置を目視することで拡底翼６０の拡大径Ｓの大きさを確認する場合を説明したが、必ずしもこれに限られるものではなく、目盛棒５８の先端部５８ｂから基部５８ａよりも細い金属線を突出させて、その金属線がスラスタ５０の上下動に伴ってゲージ８０の突起部８３に弾かれる構成としても良い。
【００７９】
この場合、スラスタ５０の上下動に伴って金属線が突起部８３に弾かれるので、金属線が振動されて音が生じる。よって、作業者が拡底翼６０の拡大径Ｓの大きさを音によっても確認することができる。その結果、ゲージ８０及び目盛棒５８を作業者が常時目視することを不要とすることで、その分、目視にて作業環境の安全確認を行うことができる。
【００８０】
また、上記実施の形態では、スケール本体８１に色つき塗装することで貫通形成された目盛板８２の数字に色をつけてその数字の認識を容易とする場合を説明したが、必ずしもこれに限られるものではなく、スケール本体８１と目盛板８２とを異なる素材にて構成することで、変色や、素材の表面状態の変化を利用して目盛板８２の数字を際立たせるように構成しても良い。
【００８１】
この場合、掘削回数を重ねるにつれて変色や表面状態の変化が促進されるので、掘削回数を重ねても数字の認識を容易とすることができる。即ち、数字の表示が消え難いので、数字を認識可能な状態に保つためのメンテナンス回数を少なくして、拡底バケット１９のメンテナンスコストの削減を図ることができる。
【００８２】
また、上記実施の形態では、スラスタ５０と枠体３０の連結部３０ｂとを連結する油圧アクチュエータ２１を備え、油の供給により油圧アクチュエータ２１が伸びると、スラスタ５０が枠体３０に対して下降移動され、油圧アクチュエータ２１が縮むと、スラスタ５０が枠体３０に対して上昇移動される場合を説明したが、必ずしもこれに限られるものではなく、油圧アクチュエータ２１がスラスタ５０と連結シャフト９０とを連結し、油圧アクチュエータ２１が伸びると、スラスタ５０が枠体３０に対して上昇移動され、油圧アクチュエータ２１が縮むと、スラスタ５０が枠体３０に対して下降移動されるように構成しても良い。なお、連結シャフト９０は、ロッド４０の下側端部（図２（ａ）及び図２（ｂ）下側端部）に接続されると共に一対の外周壁３０ａを連結する柱状体として構成されている。
【００８３】
また、油圧アクチュエータ２１の両側端部の内の一方にスラスタ５０の移動方向を変換するリンク部材を備え、油圧アクチュエータ２１が伸びると、スラスタ５０が枠体３０に対して上昇移動され、油圧アクチュエータ２１が縮むと、スラスタ５０が枠体３０に対して下降移動されるように構成しても良い。
【００８４】
また、上記実施の形態では、スラスタ５０と拡底翼６０とを連結するリンク７０を備え、スラスタ５０が枠体３０に対して下降移動されると、リンク７０を介して拡底翼６０が拡径され、スラスタ５０が枠体３０に対して上昇移動されると、リンク７０を介して拡底翼６０が縮径される場合を説明したが、必ずしもこれに限られるものではなく、リンク７０の両側端部の内の一方に移動方向を変換するリンク部材を備え、スラスタ５０が枠体３０に対して下降移動されると、リンク７０を介して拡底翼６０が縮径され、スラスタ５０が枠体３０に対して上昇移動されると、リンク７０を介して拡底翼６０が拡径されるように構成しても良い。
【００８５】
また、上記実施の形態では、スラスタ５０と枠体３０の連結部３０ｂとを連結する油圧アクチュエータ２１と、スラスタ５０と拡底翼６０とを連結するリンク７０とを備え、油の供給により油圧アクチュエータ２１が伸びると、スラスタ５０が枠体３０に対して下降移動され、スラスタ５０が枠体３０に対して下降移動されると、リンク７０を介して拡底翼６０が拡径され、油圧アクチュエータ２１が縮むと、スラスタ５０が枠体３０に対して上昇移動され、スラスタ５０が枠体３０に対して上昇移動されると、リンク７０を介して拡底翼６０が縮径される場合を説明したが、必ずしもこれに限られるものではなく、油圧アクチュエータ２１及びリンク７０の少なくとも一方が移動方向を変換するリンク部材を備えるか又は、油圧アクチュエータ２１がスラスタ５０を連結部３０ｂ又は連結シャフト９０と連結することで、油圧アクチュエータ２１が伸びることによりスラスタ５０が上昇移動される動作に、スラスタ５０が上昇移動することにより拡底翼６０が拡径または縮径される動作を組み合わせるように構成しても良い。
【００８６】
または、油圧アクチュエータ２１が縮むことによりスラスタ５０が上昇移動される動作に、スラスタ５０が上昇移動することにより拡底翼６０が拡径される動作を組み合わせるように構成しても良い。
【００８７】
または、油圧アクチュエータ２１が伸びることによりスラスタ５０が下降移動される動作に、スラスタ５０が下降移動することにより拡底翼６０が縮径される動作を組み合わせるように構成しても良い。
【００８８】
また、上記実施の形態では、基部５８ａが円柱状体として構成される場合を説明したが、必ずしもこれに限られるものではなく、基部５８ａを四角柱状体として構成しても良い。この場合、基部５８ａが四角柱状体として構成されているので、ベースプレート５６（図３（ａ）参照）の上面に載置した場合に転がることを防止することができる。よって、ベースプレート５６に目盛棒５８を取り付ける際に、目盛棒５８の位置決めを容易とすることができる。その結果、目盛棒５８の取り付けの工数を削減して、拡底バケットの製品コストを削減することができる。
【００８９】
また、上記実施の形態では、目盛棒５８が、基部５８ａの端部に連成される円錐の先端を切り取った形状に構成された先端部５８ｂを備える場合を説明したが、必ずしもこれに限られるものではなく、他の形状であっても良い。
【００９０】
ここで、他の形状を図５（ｃ）及び図５（ｄ）を参照して説明する。図５（ｃ）は、目盛棒４５８の正面図であり、図５（ｄ）は、目盛棒４５８の側面図である。図５（ｃ）及び図５（ｄ）に示すように、目盛棒４５８が円柱状体として形成される基部４５８ａを備えると共に、先端部５８ｂが省略された構成とされている。この場合、目盛棒４５８の製造を容易として、拡底バケットの製造コストを削減することができる。
【００９１】
また、上記実施の形態では、目盛棒５８が円柱状体として構成される基部５８ａと、その基部５８ａの端部に連成される円錐の先端を切り取った形状に構成される先端部５８ｂとを備える場合を説明したが、必ずしもこれに限られるものではなく、他の形状であっても良い。
【００９２】
ここで、他の形状を図５（ｅ）及び図５（ｆ）を参照して説明する。図５（ｅ）は、目盛棒５５８の正面図であり、図５（ｆ）は、目盛棒５５８の側面図である。図５（ｅ）及び図５（ｆ）に示すように、目盛棒５５８が四角柱状体として形成される基部５５８ａを備えると共に、先端部５８ｂが省略された構成とされている。
【００９３】
この場合、目盛棒５５８の製造を容易として、製造コストの削減を図ることができることに加えて、目盛棒５５８の位置決めを容易として、目盛棒５５８の取り付けの工数を削減して、拡底バケットの製品コストを削減することができる。なお、図５（ｄ）は、目盛棒５５８の正面図であり、図５（ｆ）は、目盛棒５５８の側面図である。
【００９４】
また、上記実施の形態では、スケール本体８１に突起部８３が形成されると共に目盛板８２に数字が貫通形成される場合を説明したが、必ずしもこれに限られるものではなく、スケール本体８１に突起部８３が形成され、目盛板８２の数字が省略される構成としても良く。または、スケール本体８１への突起部８３の形成が省略され、目盛板８２に数字が貫通形成される構成としても良い。この場合、目盛棒５８のスケール本体８１に対する位置または、目盛棒５８の目盛板８２に対する位置を作業者が目視にて確認することができるので、拡底バケットの拡大径を確認することができる。
【００９５】
よって、目盛棒５８がゲージ８０を指し示す位置を確認することで、拡底バケットの拡大径が所望の寸法値に近づいていることを知ることができるので、巻き尺を当てていなくても拡底バケットの拡大径が所望の寸法値を超えてしまうことを防止することで、校正のやり直しを減らして校正作業の効率を向上させることができる。
【００９６】
また、上記実施の形態では、突起部８３が側面視四角形状に形成される場合を説明したが、必ずしもこれに限られるものではなく、側面視三角形状、側面視半円形状および側面視台形形状などに形成されても良い。即ち、突出した形状に構成されていれば良く、この場合、第１実施の形態と同様の効果を奏する。また、上記実施の形態では、突起部８３が突出される場合を説明したが、必ずしもこれに限られるものではなく、凹設（切り欠いた形状と）されても良い。この場合、第１実施の形態と同様の効果を奏する。
【００９７】
即ち、突起部８３が突起でも凹部も良く、視認可能な立体形状に構成されていれば、第１実施の形態と同様の効果を奏する。
【００９８】
また、上記各実施の形態では、目盛棒５８，４５８が円柱状体に構成され目盛棒５５８が四角柱状体に構成される場合を説明したが、必ずしもこれに限られるものではなく、目盛棒が長尺形状に構成されていれば良い。即ち、側面視において目盛棒の軸心の延長線がゲージ８０上に交差していれば良く、この場合、第１実施の形態と同様の効果を奏する。
【００９９】
また、上記各実施の形態では、拡底翼６０が枠体３０に対して揺動可能に取り付けられる場合を説明したが、必ずしもこれに限られるものではなく、拡底翼６０が枠体３０に対して水平方向に離間される構成としても良い。
【０１００】
例えば、拡底翼６０を枠体３０に対して水平方向に案内する部材を備えると共に、その案内部材の案内方向に伸縮方向が平行となるように配設された油圧アクチュエータ２１を拡底翼６０と枠体３０との間に取り付ける構成としても良い。この場合、第１実施の形態と同様の効果を奏する。
【０１０１】
即ち、拡底翼６０は、その最外部分が本体部３０から水平方向に離間される構成であれば良く、拡底翼６０が枠体３０に対して揺動されることに限定されるものではない。
【符号の説明】
【０１０２】
１                              アースドリル機
１９                            拡底バケット
２１                            油圧アクチュエータ（油圧シリンダ）
３０                            枠体（本体）
４０                            ロッド
５０                            スラスタ
５８，４５８，５５８            目盛棒（バー部材）
６０                            拡底翼
７０                            リンク
８０，２８０，３８０            ゲージ（ゲージ部材）
８１，２８１，３８１            スケール本体（基体部）
８２，３８２                    目盛板（目盛り手段、表板部）
８３，２８３，３８３            突起部（目盛り手段、突起部）
【図１】
2010203159.tif 000003
【図２】
2010203159.tif 000004
【図３】
2010203159.tif 000005
【図４】
2010203159.tif 000006
【図５】
2010203159.tif 000007